(57)【要約】【課題】ページをめくる際の操作性や、別ページを参照する際の操作性を改善すること。【解決手段】複数のスクリーンを備える書籍型デバイスは、各スクリーンの曲げを検知するセンサと、センサにより検知された値に基づいて、隣接するスクリーンの曲げの差分が閾値以上であるスクリーンを検出する制御部とを有する。【選択図】図２
2014002438.tif 000002
【特許請求の範囲】
【請求項１】
複数のスクリーンを備える書籍型デバイスであって、
各スクリーンの曲げを検知するセンサと、
前記センサにより検知された値に基づいて、隣接するスクリーンの曲げの差分が閾値以上であるスクリーンを検出する制御部と
を有する、書籍型デバイス。
【請求項２】
前記制御部は、前記隣接するスクリーンの曲げの差分が前記閾値以上であるスクリーンのうち、最大の差分であるスクリーンを検出する、請求項１に記載の書籍型デバイス。
【請求項３】
前記制御部は、隣接するスクリーンの曲げの差分が前記閾値以上であるスクリーンに、表示する制御を行う、請求項１又は２に記載の書籍型デバイス。
【請求項４】
記憶部
を有し、
前記制御部は、前記記憶部に、最大の差分であるスクリーンに表示されているページ番号を格納し、
閉じられた前記複数のスクリーンが開かれた場合に、前記記憶部に記憶されたページ番号に対応するページを表示する制御を行う、請求項１ないし３のいずれか１項に記載の書籍型デバイス。
【発明の詳細な説明】
【技術分野】
【０００１】
本発明は、電子書籍に関する。
【背景技術】
【０００２】
電子ブックリーダーが知られている（例えば、特許文献１、２参照）。
【０００３】
電子ブックリーダーは、電子書籍を閲覧するための専用端末（デバイス）と、電子書籍データを表示する専用ソフトウェアとを含む。
【０００４】
電子ブックリーダーは、液晶ディスプレイや平面ディスプレイ、タッチスクリーンを有する。電子ブックリーダーは、平面のディスプレイに、通信回線もしくは記憶装置から取得した書籍情報、画像、映像等を表示する。表示された情報に対するページめくり等の操作は、タッチスクリーンを使って行うことができる。
【先行技術文献】
【特許文献】
【０００５】
【特許文献１】特開２００６−３１３４８５号公報
【特許文献２】特開２００９−４３０１１号公報
【発明の概要】
【発明が解決しようとする課題】
【０００６】
電子ブックリーダーは、一般的には平面のディスプレイ上に書籍を２次元の画像として表現することで書籍を模したものである。つまり、電子ブックリーダーは、書籍そのものの形態を模擬するものではない。
【０００７】
このため、ユーザが本物の書籍で慣れた直感的な操作ができず、電子ブックリーダー用の操作を習得しなければならない場合がある。
【０００８】
具体的には、ページをめくる操作や、別ページを参照する操作について、電子ブックリーダー用の操作を習得しなければならない場合がある。
【０００９】
本物の書籍では、紙そのものをめくることができる。しかし、電子ブックリーダーでは、ページをめくる操作は２次元の画像に対する指のスライドやタッチ、ボタン操作などによって実現される。このため、本物の書籍の操作を模擬できない。
【００１０】
書籍を読む際、別のページに書かれている情報を参照しながら読む場合がある。例えば、歴史書における「地図」や「家系図」、小説における「人物相関図」、数学書における「公式」や「数表」、生物書における「人体構造図」等である。
【００１１】
本物の書籍では、ページを曲げることによって、複数のページを同時に見えるようにすることが直感的に可能である。また、別ページに指や栞を挟んでおくことにより、すぐにそのページを開き、また元のページに戻ることができる。
【００１２】
しかし、電子ブックリーダーでは、このような操作は実現が困難であったり、操作が煩雑となったりする場合がある。
【００１３】
本発明は、上記の点に鑑みてなされたものであり、ページをめくる際の操作性や、別ページを参照する際の操作性を改善する技術を提供することを目的とする。
【課題を解決するための手段】
【００１４】
上記の課題を解決するために、本発明の書籍型デバイスは、
複数のスクリーンを備える書籍型デバイスであって、
各スクリーンの曲げを検知するセンサと、
前記センサにより検知された値に基づいて、隣接するスクリーンの曲げの差分が閾値以上であるスクリーンを検出する制御部と
を有する、書籍型デバイスとして達成される。
【００１５】
前記制御部は、前記隣接するスクリーンの曲げの差分が前記閾値以上であるスクリーンのうち、最大の差分であるスクリーンを検出する、ように構成してもよい。
【００１６】
前記制御部は、隣接するスクリーンの曲げの差分が前記閾値以上であるスクリーンに、表示する制御を行う、ように構成してもよい。
【００１７】
前記制御部は、記憶部に、最大の差分であるスクリーンに表示されているページ番号を格納し、
閉じられた前記複数のスクリーンが開かれた場合に、前記記憶部に記憶されたページ番号に対応するページを表示する制御を行う、ように構成してもよい。
【発明の効果】
【００１８】
開示の実施例によれば、ページをめくる際の操作性や、別ページを参照する際の操作性を改善することができる。
【図面の簡単な説明】
【００１９】
【図１】書籍型デバイスの一実施例を示す図である。
【図２】書籍型デバイスの一実施例を示す機能ブロック図である。
【図３】書籍型デバイスの動作の一実施例を示すフローチャートである。
【発明を実施するための形態】
【００２０】
次に、本発明を実施するための形態を、以下の実施例に基づき図面を参照しつつ説明する。
なお、実施例を説明するための全図において、同一機能を有するものは同一符号を用い、繰り返しの説明は省略する。
【００２１】
＜実施例＞
＜書籍型デバイス＞
図１は、書籍型デバイス１００の一実施例を示す。
【００２２】
書籍型デバイス１００は、スクリーン１０２１〜１０２Ｎ（Ｎは、Ｎ＞０の整数）と、センサ１０４１〜１０４Ｎと、綴じ部１０６とを有する。
【００２３】
スクリーン１０２１〜１０２Ｎは、走査線駆動回路（図示なし）及び信号線駆動回路（図示なし）により表示制御が行われる。例えば、スクリーン１０２１〜１０２Ｎは、紙製の書籍のページシートと同様な柔軟性のある物性と感触を有するものであるのが好ましい。具体的には、紙シート（電子ペーパ）、プラスチックシート、プラスチックフィルム、アルミニウム等の軽金属の薄膜を用いてもよい。信号線駆動回路は、綴じ部１０６に設けられてもよい。走査線駆動回路は、各スクリーン１０４１〜１０４Ｎに設けられてもよい。スクリーン１０２１〜１０２Ｎの一主面に、書籍を２次元の画像として表示するようにしてもよい。また、スクリーン１０２１〜１０２Ｎの対向する二主面に、書籍を２次元の画像として表示するようにしてもよい。
【００２４】
センサ１０４１〜１０４Ｎは、スクリーン１０２１〜１０２Ｎが曲げられたことを検知するセンサである。例えば、センサ１０４１〜１０４Ｎは、スクリーン１０２１〜１０２Ｎを基材として、適当なパターン状にコーティングすることにより形成される。また、センサ１０４１〜１０４Ｎは、スクリーン１０２１〜１０２Ｎを基材として、適当なパターン状に積層することにより形成したり、内蔵したりすることにより形成されてもよい。図１には、一例として、各スクリーン１０２１〜１０２Ｎの画像が表示される表示部の上部に、センサ１０４１〜１０４Ｎが形成される。つまり、センサ１０４１〜１０４Ｎは、スクリーン１０２１〜１０２Ｎの一主面に設けられてもよい。例えば、センサ１０４１〜１０４Ｎは、スクリーン１０２１〜１０２Ｎの歪みの変動を電気抵抗値の変動として検知する。センサ１０４１〜１０４Ｎとして、電歪素子、圧電素子、マイクロコイル素子等を用いることができる。
【００２５】
綴じ部１０６は、スクリーン１０２１〜１０２Ｎを固定する。綴じ部１０６には、信号線駆動回路が設けられる。
【００２６】
＜書籍型デバイスの機能＞
図２は、書籍型デバイス１００の一実施例を示す機能ブロック図である。
【００２７】
書籍型デバイス１００は、スクリーン１０２１〜１０２Ｎと、センサ１０４１〜１０４Ｎと、表示部１０８１〜１０８Ｎと、制御部１１０と、記憶部１１２とを有する。
【００２８】
表示部１０８１〜１０８Ｎは、スクリーン１０２１〜１０２Ｎ上において、書籍を２次元の画像として表示する領域である。
【００２９】
制御部１１０は、センサ１０４１〜１０４Ｎと接続される。制御部１１０は、ＣＰＵにより構成されてもよい。制御部１１０は、センサ１０４１〜１０４Ｎにより検出される曲げの度合いに基づいて、ユーザが開いているスクリーンを検出する。曲げの度合いとして、抵抗値が用いられてもよい。具体的には、センサ１０４１〜１０４Ｎは、各スクリーン１０２１〜１０２Ｎの曲げの度合いを数値として検出する。センサ１０４１〜１０４Ｎは、制御部１１０に、検出した値を入力する。制御部１１０は、センサ１０４１〜１０４Ｎにより入力された曲げの度合いに基づいて、隣接するスクリーンの曲げの度合いの差分を求める。
【００３０】
制御部１１０は、曲げの度合いの差分と閾値とを比較する。制御部１１０は、曲げの度合いの差分が閾値以上のスクリーンを、開いているスクリーンと判定する。制御部１１０は、記憶部１１２に、「開かれているスクリーンのリストＬ」として、曲げの度合いの差分が閾値以上のスクリーンを示す情報を格納する。制御部１１０は、ユーザが開かれているスクリーンと判定したスクリーンに、表示する制御を行う。ここで、開かれているスクリーンとは、ユーザが参照しているスクリーンである。例えば、ユーザは、あるスクリーンを見ながら、他のスクリーンを参照する場合がある。このようにすることにより、複数のスクリーンを開いている状態を検出できる。例えば、スクリーンを曲げて別のスクリーンを半分表示させているような、複数のスクリーンを開いている状態を検出できる。
【００３１】
制御部１１０は、曲げの差分が最も大きいページを、ユーザが見ているスクリーンと判定する。制御部１１０は、ユーザが見ているスクリーンと判定したスクリーンに表示する制御を行う。曲げの差分が最も大きいページをユーザが見ているスクリーンと判定することにより、ユーザが主に見ているページを検出できる。
【００３２】
制御部１１０は、記憶部１１２に、「最後に開かれたページ番号」として、ユーザが見ているスクリーンに表示されているページ番号を格納する。ユーザが、書籍型デバイス１００を閉じ、再度開いた場合には、制御部１１０は、記憶部１１０に格納した「最後に開かれたページ番号」として格納されているページ番号を読み出し、該ページ番号に対応するページが表示されるようにしてもよい。このようにすることにより、スクリーンの数が書籍のページ数より少ない場合に、一度デバイスを閉じ、再度開くことで、つづきを読むことができる。
【００３３】
記憶部１１２は、制御部１１０と接続される。記憶部１１２には、「開かれているスクリーンのリストＬ」と、「最後に開かれたページ番号」とが格納される。
【００３４】
＜書籍型デバイスの動作＞
図３は、書籍型入力デバイス１００の動作の一実施例を示すフローチャートである。
【００３５】
図３には、制御部１１２の動作が主に示される。
【００３６】
ステップＳ３０２では、制御部１１２は、センサ１０４１〜１０４Ｎから、測定値Ｂ１−ＢＮを取得する。
【００３７】
ステップＳ３０４では、制御部１１２は、記憶部１１２に格納されている、「開かれているスクリーンのリストＬ」に開かれているスクリーンが格納されている場合には、「空」にする。
【００３８】
「開かれているスクリーンのリストＬ」が「空」の場合、書籍型デバイスの状態は、閉じられている状態である。「開かれているスクリーンのリストＬ」が「空」でない場合、書籍型デバイスの状態は、開く操作がされている状態である。
【００３９】
ステップＳ３０６では、制御部１１２は、センサ１０４１〜１０４Ｎからの測定値Ｂ１−ＢＮの全てが第１の閾値未満であるか否かを判定する。第１の閾値は、書籍型デバイスが開かれている場合に検出される程度の値であるのが好ましい。第１の閾値は、予め設定されてもよい。
【００４０】
ステップＳ３０６により、制御部１１２は、センサ１０４１〜１０４Ｎからの測定値Ｂ１−ＢＮの全てが閾値未満であると判定した場合、終了する。書籍型デバイスが閉じられていると想定されるためである。
【００４１】
ステップＳ３０８では、ステップＳ３０６により、センサ１０４１〜１０４Ｎからの測定値Ｂ１−ＢＮに閾値未満でないものがあると判定された場合、制御部１１２は、ｘ：＝２に設定する。
【００４２】
ステップＳ３１０では、制御部１１２は、｜ＢＸ−ＢＸ−１｜＞第２の閾値であるか否かを判定する。第２の閾値は、予め設定されてもよい。
【００４３】
ステップＳ３１２では、制御部１１２は、ステップＳ３１０により｜Ｂ１−ＢＮ｜＞第２の閾値であると判定された場合、ＢＸ，ＢＸ−１に対応するスクリーンのペアを「開かれているスクリーンのリストＬ」に追加する。
【００４４】
ステップＳ３１４では、ステップＳ３１０により｜Ｂ１−ＢＮ｜＞第２の閾値であると判定されない場合、又はステップＳ３１２によりＢＸ，ＢＸ−１に対応するスクリーンのペアを「開かれているスクリーンのリストＬ」に追加した後、制御部１１２は、ｘ：＝ｘ＋１に設定する。
【００４５】
ステップＳ３１６では、制御部１１２は、ｘ＞Ｎであるか否かを判定する。
【００４６】
ステップＳ３１６によりｘ＞Ｎと判定されない場合、ステップＳ３１０に戻る。
【００４７】
ステップＳ３１８では、ステップＳ３１６によりｘ＞Ｎと判定された場合、制御部３１８は、「開かれているスクリーンのリストＬ」に含まれるスクリーンのペアのうち、｜ＢＸ−ＢＸ−１｜が最大となるスクリーンのペアを選択し、該スクリーンに表示されているページ番号を「最後に開かれたページ番号Ｐ」として記憶する。例えば、スクリーン１０２ｘに表示されているページの番号が記憶される。
【００４８】
書籍型デバイスが閉じられ、再度開かれた場合、制御部１１２は、記憶部１１２に格納された「最後に開かれたページ番号Ｐ」を参照し、該ページ番号Ｐを表示する。
【００４９】
開いていないと判定されたスクリーンには、表示しないようにしてもよい。また、開いていると判定されたスクリーンであっても、その前後の隣接するスクリーンの曲げの度合いの差分が小さい場合には、参照しているスクリーンと想定されるため、表示の明るさを落とすようにしてもよい。このようにすることにより、消費電力を低減できる。
【００５０】
上述した実施例において、開かれているスクリーンの検出方法として、タッチセンサを使用するようにしてもよい。つまり、人間の指が触れているスクリーンを「開かれているスクリーン」と判断するようにしてもよい。
【００５１】
また、スクリーンの根元、つまり、綴じ部１０６に回転センサを取り付け、その回転角によって「開かれているスクリーン」を判断するようにしてもよい。
【００５２】
書籍型デバイスの一実施例によれば、本物の書籍のように、紙そのものをめくるように、ページをめくる操作を実現できる。
【００５３】
また、本物の書籍のように、ページを曲げて複数のページを同時に見えるようにしたり、指や栞を別ページに挟むことによって簡単にページを行き来したりするような操作を実現できる。つまり、書籍型デバイスの操作を直感的に、かつすばやく行えるようになる。
【００５４】
書籍型デバイスの操作が本物の書籍と同様になることで、書籍型デバイス特有の操作を習得する必要がなくなり、電子デバイスに不慣れなユーザであっても電子化された書籍情報を利用することができるようになる。つまり、ユニバーサルデザインとすることができる。
【００５５】
以上、本発明は特定の実施例を参照しながら説明されてきたが、各実施例は単なる例示に過ぎず、当業者は様々な変形例、修正例、代替例、置換例等を理解するであろう。説明の便宜上、本発明の実施例に係る装置は機能的なブロック図を用いて説明されたが、そのような装置はハードウエアで、ソフトウェアで又はそれらの組み合わせで実現されてもよい。本発明は上記実施例に限定されず、本発明の精神から逸脱することなく、様々な変形例、修正例、代替例、置換例等が包含される。
【符号の説明】
【００５６】
１００  書籍型入力デバイス
１０２Ｎ（Ｎは、Ｎ＞１の整数）  スクリーン
１０４Ｎ  センサ
１０６  綴じ部
１０８Ｎ  表示部
１１０  制御部
１１２  記憶部
【図１】
2014002438.tif 000003
【図２】
2014002438.tif 000004
【図３】
2014002438.tif 000005